(57)【要約】【課題】操作性を向上させる入力装置を提供する。【解決手段】本実施の形態に係る入力装置１は、例えば、図１（ａ）および（ｂ）に示すように、なされた操作を検出する第１の検出領域２３１を有する検出部２と、検出部２上に設けられ、第１の検出領域２３１よりも面積が小さい第２の検出領域２３２を規定する規定部としてのサイズ可変パネル３と、を備えて概略構成されている。この入力装置１によれば、サイズ可変パネル３を入力装置１に取り付けることにより、操作者に応じた検出領域を形成することができるので、操作者に応じた検出領域を形成することができない場合と比べて、操作性を向上させることができる。【選択図】図１
2012212306.tif 000002
【特許請求の範囲】
【請求項１】
なされた操作を検出する第１の検出領域を有する検出部と、
前記検出部上に設けられ、前記第１の検出領域よりも面積が小さい第２の検出領域を規定する規定部と、
を備えた入力装置。
【請求項２】
前記なされた操作に基づいて表示を行う表示装置の表示領域に対応させた第１の座標系と、前記第２の検出領域に対応する第２の座標系と、が対応するように補正を行う補正部を備えた請求項１に記載の入力装置。
【請求項３】
前記検出部は、静電容量の変化を検出するセンサであり、
前記規定部は、一方の面側に導電性を有する材料を含んで形成される導電部材を有し、
前記補正部は、前記規定部の前記導電部材に基づいた静電容量の変化に応じて前記補正を行う請求項２に記載の入力装置。
【発明の詳細な説明】
【技術分野】
【０００１】
本発明は、入力装置に関する。
【背景技術】
【０００２】
従来の技術として、指による入力位置を検出する手指操作入力部と、手指操作入力部を操作する際に手を置く台となるパームレスト部と、を備えた操作入力装置が知られている（例えば、特許文献１参照）。
【０００３】
この操作入力装置は、手指操作入力部とパームレスト部とは隣接して配置されるとともに、手指操作入力部の表面はパームレスト部の表面の前方への延長面より下方に傾斜して配置されている。従って、この操作入力装置は、指先が自然に曲がる位置に手指操作入力部があるので、操作性が高い。
【先行技術文献】
【特許文献】
【０００４】
【特許文献１】特開２００９−１８１４２３号公報
【発明の概要】
【発明が解決しようとする課題】
【０００５】
しかし、従来の操作入力装置は、操作者の指の長さや手のひらの大きさ等のような個人差があるので、パームレスト部に手を置いた状態では、手指操作入力部の隅々まで指が届かず、操作性が良くない問題がある。
【０００６】
従って、本発明の目的は、操作性を向上させる入力装置を提供することにある。
【課題を解決するための手段】
【０００７】
本発明の一態様は、なされた操作を検出する第１の検出領域を有する検出部と、検出部上に設けられ、第１の検出領域よりも面積が小さい第２の検出領域を規定する規定部と、を備えた入力装置を提供する。
【発明の効果】
【０００８】
本発明によれば、操作性を向上させることができる。
【図面の簡単な説明】
【０００９】
【図１】図１（ａ）は、第１の実施の形態に係る入力装置の上面図であり、（ｂ）は、サイズ可変パネルが装着された入力装置の上面図である。
【図２】図２（ａ）は、第１の実施の形態に係る入力装置の側面図であり、（ｂ）および（ｃ）は、図１（ｂ）のII（ａ）-II（ａ）線で入力装置を切断した断面を示す断面図であり、（ｄ）は、図１（ｂ）のII（ｂ）-II（ｂ）線で入力装置を切断した断面を示す断面図である。
【図３】図３（ａ）は、第２の実施の形態に係る入力装置が接続された表示装置の表示領域を示す概略図であり、（ｂ）は、サイズ可変パネルを取り付けた入力装置の上面図であり、（ｃ）は、入力装置のブロック図である。
【図４】図４（ａ）は、第３の実施の形態に係るサイズ可変パネルの側面図であり、（ｂ）は、入力装置の要部断面図であり、（ｃ）は、入力装置のブロック図である。
【図５】図５（ａ）は、第４の実施の形態に係る第１の検出領域の概略図であり、（ｂ）は、サイズ可変パネルの概略図であり、（ｃ）は、サイズ可変パネルの変形例１であり、（ｄ）は、サイズ可変パネルの変形例２であり、（ｅ）は、サイズ可変パネルの変形例３であり、（ｆ）は、サイズ可変パネルの変形例４である。
【発明を実施するための形態】
【００１０】
[実施の形態]
（実施の形態の要約）
実施の形態に係る入力装置は、なされた操作を検出する第１の検出領域を有する検出部と、検出部上に設けられ、第１の検出領域よりも面積が小さい第２の検出領域を規定する規定部と、を備える。
【００１１】
[第１の実施の形態]
（入力装置１の構成）
図１（ａ）は、第１の実施の形態に係る入力装置の上面図であり、（ｂ）は、サイズ可変パネルが装着された入力装置の上面図である。この入力装置１は、例えば、車両の運転席と助手席との間に設けられ、車両に搭載された電子機器を操作するものである。この電子機器は、例えば、車両に搭載された表示装置と接続されている。なお、電子機器とは、例えば、カーナビゲーション装置、オーディオ装置、空調装置等である。
【００１２】
本実施の形態に係る入力装置１は、例えば、図１（ａ）および（ｂ）に示すように、なされた操作を検出する第１の検出領域２３１を有する検出部２と、検出部２上に設けられ、第１の検出領域２３１よりも面積が小さい第２の検出領域２３２を規定する規定部としてのサイズ可変パネル３と、を備えて概略構成されている。
【００１３】
・本体１０の構成
本体１０は、例えば、箱形状を有し、その表面１００には、開口１１と、パームレスト１２と、が設けられている。開口１１には、例えば、検出部２が露出しており、この露出した検出部２により第１の検出領域２３１が形成されている。
【００１４】
パームレスト１２は、例えば、本体１０の表面１００から盛り上がった形状を有し、弾力性のある材料を用いて形成されている。このパームレスト１２は、例えば、操作者が、手の付け根部分を載せることにより、検出部２に対する操作を容易にする目的で設けられている。このパームレスト１２は、例えば、標準的な大きさの手を基準として、第１の検出領域２３１の隅々まで操作が可能となるように構成されている。
【００１５】
図２（ａ）は、第１の実施の形態に係る入力装置の側面図であり、（ｂ）および（ｃ）は、図１（ｂ）のII（ａ）-II（ａ）線で入力装置を切断した断面を示す断面図であり、（ｄ）は、図１（ｂ）のII（ｂ）-II（ｂ）線で入力装置を切断した断面を示す断面図である。
【００１６】
本体１０は、例えば、図２（ａ）に示すように、図１（ｂ）の紙面右の側面１０２にスロット１４を有する。このスロット１４は、例えば、サイズ可変パネル３が挿入されるように構成されている。
【００１７】
本体１０には、例えば、図２（ｂ）に示すように、裏面１０１側に複数のねじ孔１０３が形成されている。このねじ孔１０３には、例えば、ねじ１０４に対応した溝が形成され、それぞれにねじ１０４が取り付けられる。このねじ１０４がねじ込まれることにより、図２（ｂ）の紙面の上方に、後述する基板２３およびスペーサ１０５を介して検出部２を移動させ、検出部２が本体１０に取り付けられる。なお、この検出部２の取り付け方法は、上記の方法に限定されず、モータ等のアクチュエータによる方法、キャッチロック等の蓋止金具を利用した方法等の周知の方法を用いても良い。
【００１８】
本体１０は、例えば、図２（ｂ）に示ように、表面１００の裏側で、かつ、開口１１の周囲に沿って弾性部材１０６が取り付けられている。この弾性部材は、例えば、合成樹脂等から形成され、検出部２が取り付けられた際には、本体１０と検出部２との間に介在するものである。
【００１９】
・検出部２の構成
検出部２は、例えば、タッチセンサ２０と、基板２３と、スイッチ２４と、を備えて概略構成されている。
【００２０】
タッチセンサ２０は、例えば、電極２１と、電極２１を保護する保護膜２２と、を備えて概略構成されている。このタッチセンサ２０は、例えば、操作者と電極２１とにより形成されるコンデンサの静電容量の変化を検出するタッチセンサである。
【００２１】
この電極２１は、第１の検出領域２３１になされた操作を検出可能な程度に複数設けられているものとする。
【００２２】
スイッチ２４は、例えば、タッチセンサ２０になされたプッシュ操作を検出する目的で、タッチセンサ２０の４つの角に接触するように設けられている。つまり、本実施の形態に係る入力装置１は、４つである。なお、プッシュ操作とは、例えば、図２（ｂ）の紙面の下方向にタッチセンサ２０を押し下げる操作である。
【００２３】
タッチセンサ２０と基板２３との間には、例えば、複数のスペーサ１０５が設けられている。このスペーサ１０５は、例えば、検出部２を本体１０に取り付けることにより、スイッチ２４が押されたままの状態となるのを防止するために設けられている。従って、本実施の形態に係るスペーサ１０５は、例えば、４つのスイッチ２４の近くに設けられている。
【００２４】
・サイズ可変パネル３の構成
サイズ可変パネル３は、パームレスト１２により、入力装置１に対する操作者の手の位置が決められた際、手の大きさの個人差による操作性の低下を防止するために設けられるものである。
【００２５】
具体的には、例えば、操作者の手が、標準的な手の大きさよりも小さい場合、図１（ａ）に示すように、第１の検出領域２３１のパームレスト１２から比較的遠い領域１１ａを、パームレスト１２に手を置いた状態で操作することが難しくなり、操作性が低下する。また、操作者の手が、例えば、標準的な手の大きさよりも大きい場合、図１（ａ）に示すように、第１の検出領域２３１のパームレスト１２から比較的近い領域１１ｂを、パームレスト１２に手を置いた状態で操作することが難しくなり、操作性が低下する。サイズ可変パネル３は、例えば、パームレスト１２に手を置いた状態で、操作できる領域を規定するために設けられるものである。従って、操作者は、サイズ可変パネル３により操作可能な領域を触覚で感じることができる。
【００２６】
本実施の形態におけるサイズ可変パネル３は、操作者の手が、標準的な手の大きさよりも小さいとして、入力装置１に取り付けられたものである。従って、操作者が操作できる領域、すなわち、第２の検出領域２３２は、パームレスト１２側に位置する。なお、操作者の手が、標準的な手の大きさよりも大きい場合は、一例として、図１（ｂ）に示すサイズ可変パネル３を１８０°回転させ、第２の検出領域２３２が、パームレスト１２から離れるようにする。
【００２７】
このサイズ可変パネル３は、例えば、合成樹脂により形成される。サイズ可変パネル３は、一例として、図１（ｂ）に示すように、３つの矩形部３０〜矩形部３２によって、略コ字形状となるように形成されている。言い換えるなら、矩形部３０の一方端部には、矩形部３１の端部が、矩形部３０と矩形部３１とにより形成される角度がおよそ９０°となるように形成され、矩形部３０の他方端部には、矩形部３２の端部が、矩形部３０と矩形部３２とにより形成される角度がおよそ９０°となるように形成されている。このサイズ可変パネル３は、例えば、矩形部３０〜矩形部３２が一体となって成形されている。また、サイズ可変パネル３は、例えば、図１（ｂ）に示すように、開口１１の周囲と接触する部分であるラップ部３３を有する。このラップ部３３は、例えば、入力装置１にサイズ可変パネル３を取り付ける際、入力装置１の本体１０に設けられた後述する弾性部材１０６と接触する部分である。
【００２８】
なお、サイズ可変パネル３は、本実施の形態に係る略コ字形状に限定されるものではなく、操作者の手の大きさや、入力装置１の用途に応じて形状は変更される。
【００２９】
ここで、入力装置１を用いた入力方法として、例えば、相対座標または絶対座標を用いた入力方法がある。液晶ディスプレイ等の表示装置の表示領域に表示されたカーソルを移動させる場合、相対座標を用いた入力方法では、例えば、第１の検出領域２３１になされたスライド操作の移動量に応じてカーソルを移動させる。一方、絶対座標を用いた入力方法では、例えば、第１の検出領域２３１と表示領域とが１：１対応となり、スライド操作の移動量と、スライド操作がなされた座標と、に応じてカーソルを移動させる方法である。従って、相対座標を用いた入力の場合、第２の検出領域２３２は、表示装置の表示領域と相似である必要はないが、絶対座標を用いた入力の場合は、第２の検出領域２３２と表示領域は相似であることが好ましい。なお、本実施の形態では、入力装置１は、一例として、相対座標を用いた入力を行うものとする。
【００３０】
第２の検出領域２３２は、このサイズ可変パネル３の開口３４と、本体１０の開口１１と、により開口２００が形成され、この開口２００に露出して形成されている。サイズ可変パネル３は、例えば、第１の検出領域２３１と第２の検出領域２３２が相似の関係となるように構成されている。
【００３１】
以下に、サイズ可変パネル３の取り付け方法について説明する。
【００３２】
（サイズ可変パネル３の取り付け方法）
まず、図２（ｂ）に示すように、入力装置１のねじ１０４を緩め、図２（ｃ）の下方向に検出部２を移動させてタッチセンサ２０と弾性部材１０６との間に、サイズ可変パネル３が挿入可能な隙間を形成する。
【００３３】
次に、スロット１４からサイズ可変パネル３を挿入して検出部２上に配置する。続いて、ねじ１０４を締め込んで、検出部２を本体１０の表面１００方向に移動させてサイズ可変パネル３と弾性部材１０６とを接触させ、サイズ可変パネル３の取り付けを終了する。
【００３４】
ここで、入力装置１が、絶対座標を用いて入力する入力装置である場合、表示装置の表示領域と第２の検出領域２３２とを１：１対応とするキャリブレーションを行う。
【００３５】
このキャリブレーションは、一例として、予めサイズ可変パネル３の種類に応じたキャリブレーションの情報を電子機器側に記憶させ、操作者が表示領域に表示された設定メニューを見ながら、該当するサイズ可変パネル３を選択することで行う。このキャリブレーションの情報とは、挿入したサイズ可変パネル３により形成される第２の検出領域２３２に関する情報である。なお、当該電子機器は、例えば、キャリブレーションの機能を備えているものとし、表示装置に表示されたメニューから選択決定することにより、実行されるものとする。この選択決定とは、例えば、表示領域に表示されたカーソルを入力装置１で操作し、キャリブレーションを行うことができるアイコン上にカーソルを合わせ（選択）、入力装置１にプッシュ操作を行う（決定）ことである。
【００３６】
（第１の実施の形態の効果）
本実施の形態に係る入力装置１は、サイズ可変パネル３を入力装置１に取り付けることにより、操作者に応じた検出領域を形成することができるので、操作者に応じた検出領域を形成することができない場合と比べて、操作性を向上させることができる。
【００３７】
従って、操作者は、サイズ可変パネル３により操作可能な領域を触覚で感じることができる。
【００３８】
［第２の実施の形態］
第２の実施の形態は、なされた操作に基づいて表示を行う表示装置の表示領域に対応させた第１の座標系と、第２の検出領域２３２に対応する第２の座標系と、が対応するように補正を行う補正部を備えた点で異なっている。なお、以下に示す各実施の形態において、第１の実施の形態と共通する機能および部分については、第１の実施の形態と共通の符号を付し、その説明は省略するものとする。
【００３９】
（入力装置１の構成）
図３（ａ）は、第２の実施の形態に係る入力装置が接続された表示装置の表示領域を示す概略図であり、（ｂ）は、サイズ可変パネルを取り付けた入力装置の上面図であり、（ｃ）は、入力装置のブロック図である。図３（ａ）に示すＸ軸は、表示領域４０の長手方向に沿った軸（横軸）であり、Ｙ軸は、短手方向に沿った軸（縦軸）である。このＸ−Ｙ座標系は、例えば、表示領域４０の左上を座標の原点としている。また、図３（ｂ）に示すｘ軸は、第２の検出領域２３２の長手方向に沿った軸（横軸）であり、ｙ軸は、短手方向に沿った軸（縦軸）である。さらに、このｘ−ｙ座標系は、例えば、第２の検出領域２３２の左上を座標の原点としている。
【００４０】
なお、本実施の形態に係る入力装置１は、例えば、絶対座標を用いた入力装置であるものとする。
【００４１】
本実施の形態に係る入力装置１は、例えば、図３（ｃ）に示すように、なされた操作に基づいて表示を行う表示装置４の表示領域４０に対応させた第１の座標系としてのＸ−Ｙ座標系と、第２の検出領域２３２に対応する第２の座標系としてのｘ−ｙ座標系と、が対応するように補正を行う補正部としての制御部１０ａを備えている。
【００４２】
また、入力装置１は、例えば、サイズ可変パネル３の取り付けを検出し、検出信号を出力するパネル検出部２ａを備えている。
【００４３】
制御部１０ａは、例えば、ＣＰＵ（Central Processing Unit）、ＲＡＭ（Random Access Memory）およびＲＯＭ（Read Only Memory）等を含むマイクロコンピュータである。
【００４４】
制御部１０ａは、例えば、キャリブレーション情報１０ｂを格納している。このキャリブレーション情報１０ｂは、例えば、表示装置４の表示領域４０と入力装置１の第２の検出領域２３２とを対応させるための情報である。
【００４５】
なお、サイズ可変パネル３を取り付けられた入力装置１は、その検出領域が、第１の検出領域２３１から第２の検出領域２３２へと変化する。つまり、入力装置１の第１の検出領域２３１は、表示装置４の表示領域４０と１：１対応ではなくなるので、第２の検出領域２３１と表示領域４０とを１：１対応となるようにキャリブレーションを行う必要がある。従って、以下に、本実施の形態のキャリブレーションの方法について説明する。
【００４６】
（キャリブレーションの方法）
まず、図１（ｂ）に示すように、入力装置１にサイズ可変パネル３を取り付ける。このサイズ可変パネル３の取り付け方法は、例えば、第１の実施の形態と同じである。入力装置１のパネル検出部２ａは、検出信号を出力する。
【００４７】
次に、制御部１０ａは、検出信号を取得すると、電子機器に接続された表示装置４の表示領域４０の情報である表示領域情報を取得するとともにキャリブレーションの開始を示すキャリブレーション開始信号を電子機器に出力する。この表示領域情報とは、例えば、図３（ａ）に示す表示領域４０のＸ−Ｙ座標系に関する情報である。キャリブレーション開始信号とは、例えば、キャリブレーションを行うために表示装置４の表示領域４０に表示される画像の情報等を含むものである。
【００４８】
電子機器は、例えば、キャリブレーション開始情報に基づいて、表示装置４の表示領域４０に点（Ａ）に該当する入力装置１の第２の検出領域２３２の位置に対してタッチ操作を行うように指示する画像を表示させる。
【００４９】
操作者は、表示領域４０に表示された画像に従って、第２の検出領域２３２の点（ａ）の位置にタッチ操作を行う。操作者は、この操作を表示領域４０の点（Ｂ）〜点（Ｄ）、それに対応する第２の検出領域２３２の点（ｂ）〜点（ｄ）と繰り返す。
【００５０】
制御部１０ａは、このキャリブレーションに基づいて、点（ａ）を点（Ａ）に、点（ｂ）を点（Ｂ）に、点（ｃ）を点（Ｃ）に、点（ｄ）を点（Ｄ）に対応させたキャリブレーション情報１０ｂを生成し、キャリブレーションを終了する。
【００５１】
キャリブレーションの終了後、操作者が、例えば、点（ａ）に対して操作をした場合、制御部１０ａは、キャリブレーション情報１０ｂに基づいて点（ａ）を点（Ａ）とする補正操作情報を生成して表示装置４に出力する。表示装置４は、例えば、この補正操作情報に基づいてカーソルを移動させる。
【００５２】
（本実施の形態の効果）
本実施の形態に係る入力装置１は、絶対座標を用いて入力する場合であっても、キャリブレーションを行うことにより、操作者に応じた検出領域を形成することができるので、操作者に応じた検出領域を形成することができない場合と比べて、操作性を向上させることができる。
【００５３】
［第３の実施の形態］
第３の実施の形態は、サイズ可変パネル３が、一方の面側に導電性を有する材料を含んで形成される導電部材を有する点で、上記の実施の形態と異なっている。なお、本実施の形態に係る入力装置１は、絶対座標を用いた入力装置であるものとする。
【００５４】
図４（ａ）は、第３の実施の形態に係るサイズ可変パネルの側面図であり、（ｂ）は、入力装置の要部断面図であり、（ｃ）は、入力装置のブロック図である。
【００５５】
本実施の形態に係る入力装置１のサイズ可変パネル３は、図４（ａ）に示すように、矩形部３０〜矩形部３２の検出部２側の面に導電部材５が設けられている。この導電部材５は、例えば、導電性を有する材料を用いて形成される。この材料は、例えば、銅である。
【００５６】
なお、変形例として、導電部材５は、例えば、サイズ可変パネル３の一部に設けられても良い。この導電部材５は、例えば、サイズ可変パネル３の大きさに応じて複数の種類があり、検出部２に検出される。制御部１０ａは、この検出された導電部材５の大きさに基づいて予め記憶されたサイズ可変パネル３の大きさごとの情報を抽出し、その情報に基づいてキャリブレーション情報１０ｂを生成するように構成されても良い。また、導電部材５の大きさは、共通とし、サイズ可変パネル３の大きさに応じた位置に設けられることで、サイズ可変パネル３を識別するように構成されても良い。
【００５７】
本実施の形態に係る入力装置１は、例えば、図４（ｃ）に示すように、タッチセンサ２０および４つのスイッチ２４を含んで構成される検出部２と、制御部１０ａと、を備えて概略構成されている。
【００５８】
検出部２は、例えば、サイズ可変パネル３の取り付けにより変化した静電容量に基づいてサイズ可変パネル３の取り付けを検出するものとする。具体的には、検出部２は、例えば、図４（ｂ）に示すように、サイズ可変パネル３の導電部材５と検出部２のタッチセンサ２０とが接する領域を検出し、タッチセンサ２０は、この領域を示す領域検出情報を制御部１０ａに出力するように構成されている。
【００５９】
制御部１０ａは、例えば、取得した領域検出情報に基づいてキャリブレーションを行い、検出領域を第１の検出領域２３１から第２の検出領域２３２に切り替え、キャリブレーション情報１０ｂを生成する。以下に、本実施の形態に係る入力装置１のキャリブレーションの方法について説明する。
【００６０】
（キャリブレーションの方法）
まず、入力装置１にサイズ可変パネル３を取り付ける。このサイズ可変パネル３の取り付け方法は、例えば、第１の実施の形態と同じ方法で行われる。
【００６１】
入力装置１の検出部２のタッチセンサ２０は、検出部２のタッチセンサ２０とサイズ可変パネル３の導電部材５とが接触することによる静電容量の変化に基づいて接触する領域を示す領域検出情報を出力する。
【００６２】
制御部１０ａは、例えば、取得した領域検出情報に基づいてキャリブレーションを行う。具体的には、制御部１０ａは、領域検出情報に基づいてサイズ可変パネル３が取り付けられたことにより形成される第２の検出領域２３２を算出する。続いて、制御部１０ａは、表示装置４の表示領域４０と、第２の検出領域２３２と、が１：１対応となるように、キャリブレーションを行ってキャリブレーション情報１０ｂを生成し、キャリブレーションを終了する。
【００６３】
（本実施の形態の効果）
本実施の形態に係る入力装置１は、サイズ可変パネル３の取り付けに基づいてキャリブレーションを行うので、操作者がキャリブレーションを行う場合と比べて、操作者への負担が軽減される。
【００６４】
［第４の実施の形態］
第４の実施の形態は、検出領域に表示装置の表示領域に表示される画像に対応する画像が形成されている点で、上記の各実施の形態と異なっている。
【００６５】
図５（ａ）は、第４の実施の形態に係る第１の検出領域の概略図であり、（ｂ）は、サイズ可変パネルの概略図である。
【００６６】
本実施の形態に係る入力装置１は、例えば、検出部２上にシート２５が設けられている。このシート２５には、例えば、表示装置４の表示領域４０に表示される画像に応じた画像が形成されている。本実施の形態では、表示領域４０に表示される画像は、５０音画像と、５０音入力を補助する補助画像である。従って、シート２５には、例えば、図５（ａ）に示すように、５０音画像および補助画像に応じて操作画像２３１ａが形成されている。操作者は、この操作画像２３１ａの何れかにタッチ操作を行うことにより、５０音入力を行うことができる。
【００６７】
本実施の形態に係るサイズ可変パネル３は、例えば、図５（ｂ）に示すように、第２の検出領域２３２にシート２６が設けられている。このシート２６上には、例えば、シート２５の画像を縮小した画像が形成されている。従って、シート２６は、例えば、図５（ｂ）に示すように、５０音画像および補助画像に応じて操作画像２３２ａが形成されている。操作者は、この操作画像２３２ａの何れかにタッチ操作を行うことにより、５０音入力を行うことができる。サイズ可変パネル３の取り付けは、第１の実施の形態と同じ方法で行われる。なお、キャリブレーションの方法は、例えば、第２の実施の形態および第３の実施の形態の何れかのキャリブレーションの方法を用いて行われるが、これに限定されない。
【００６８】
（本実施の形態の効果）
本実施の形態に係る入力装置１は、サイズ可変パネル３を取り付けても、検出部２上に設けられたシート２５に設けられた操作画像２３１ａを縮小した操作画像２３２ａが、サイズ可変パネル３のシート２６に設けられているので、サイズ可変パネル３にシート２６がない場合と比べて、操作者が認識し易い。
【００６９】
以下では、サイズ可変パネル３の形状や取り付け方向に関する変形例の一部を記載する。
【００７０】
・変形例１
図５（ｃ）は、サイズ可変パネルの変形例１である。この変形例１は、例えば、図５（ｃ）に示すように、上記の各実施の形態のサイズ可変パネル３を１８０°回転させ、開口２０１により規定される第２の検出領域２３２が、パームレスト１２から離れるよう入力装置１に取り付けたものである。
【００７１】
・変形例２
図５（ｄ）は、サイズ可変パネルの変形例２である。この変形例２のサイズ可変パネル３は、例えば、図５（ｄ）に示すように、中央に開口２０２が形成されている。第２の検出領域２３２は、この開口２０２により規定されている。
【００７２】
・変形例３
図５（ｅ）は、サイズ可変パネルの変形例３である。この変形例３は、例えば、図５（ｅ）に示すように、運転席側（図５（ｅ）の紙面右側）から操作する際、図５（ｅ）の紙面右側に開口２０３が形成されるように、サイズ可変パネル３が略Ｌ字形状となっている。この開口２０３により規定される第２の検出領域２３２は、操作者の手が、標準的な大きさよりも小さいとして、パームレスト１２側に形成されている。
【００７３】
・変形例４
図５（ｆ）は、サイズ可変パネルの変形例４である。この変形例４は、例えば、図５（ｆ）に示すように、運転席側（図５（ｆ）の紙面右側）から操作する際、図５（ｆ）の紙面右側に開口２０４が形成されるように、サイズ可変パネル３が略Ｌ字形状となっている。この開口２０４により規定される第２の検出領域２３２は、操作者の手が、標準的な大きさよりも大きいとして、パームレスト１２から離れて形成されている。
【００７４】
上記の変形例１〜変形例４は、一例であって、サイズ可変パネル３の形状および取り付け方法を限定するものではない。上記の変形例１〜変形例４によれば、操作者の手の大きさ、入力装置１に対する操作者の位置等に応じて、第２の検出領域２３２の大きさ、形状、入力装置１に対する位置等を変更することができるので、変更できない場合と比べて、操作が容易となる。
【００７５】
以上、本発明のいくつかの実施の形態および変形例を説明したが、これらの実施の形態および変形例は、一例に過ぎず、特許請求の範囲に係る発明を限定するものではない。これら新規な実施の形態および変形例は、その他の様々な形態で実施されることが可能であり、本発明の要旨を逸脱しない範囲で、種々の省略、置き換え、変更等を行うことができる。また、これら実施の形態および変形例の中で説明した特徴の組合せの全てが発明の課題を解決するための手段に必須であるとは限らない。さらに、これら実施の形態および変形例は、発明の範囲及び要旨に含まれるとともに、特許請求の範囲に記載された発明とその均等の範囲に含まれる。
【符号の説明】
【００７６】
１…入力装置、２…検出部、２ａ…パネル検出部、３…サイズ可変パネル、４…表示装置、５…導電部材、１０…本体、１０ａ…制御部、１０ｂ…キャリブレーション情報、１１…開口、１１ａ、１１ｂ…領域、１２…パームレスト、１４…スロット、２０…タッチセンサ、２１…電極、２２…保護膜、２３…基板、２４…スイッチ、２５、２６…シート、３０〜３２…矩形部、３３…ラップ部、３４…開口、４０…表示領域、１００…表面、１０１…裏面、１０２…側面、１０３…ねじ孔、１０４…ねじ、１０５…スペーサ、１０６…弾性部材、２００〜２０４…開口、２３１…第１の検出領域、２３１ａ…操作画像、２３２…第２の検出領域、２３２ａ…操作画像
【図１】
2012212306.tif 000003
【図２】
2012212306.tif 000004
【図３】
2012212306.tif 000005
【図４】
2012212306.tif 000006
【図５】
2012212306.tif 000007